(57)【要約】【課題】アタッチメント使用時の掃除性能を改善し、使用性を高めた縦型電気掃除機を提供することを目的としている。【解決手段】吸引風を発する電動送風機２と塵埃を吸引する吸込口７を有するノズル部４と吸引した塵埃を捕集する集塵室３と、前記ノズル部４に着脱自在で前記吸込口７と前記集塵室３を連通する吸引通路１３を備え、前記吸引通路１３を前記吸込口７からはずした時、前記電動送風機２の入力を可変するもので、ノズル部４から吸引通路１３をはずしてアタッチメントを装着して掃除するとき、吸引力を使用条件にあわせて最適にできるものである。【選択図】　図１
2004089246.tif 000002
【特許請求の範囲】
【請求項１】
吸引風を発する電動送風機と塵埃を吸引する吸込口を有するノズル部と吸引した塵埃を捕集する集塵室と、前記ノズル部に着脱自在で前記吸込口と前記集塵室を連通する吸引通路を備え、前記吸引通路を前記吸込口からはずした時、前記電動送風機の入力を可変する縦型電気掃除機。
【請求項２】
吸引通路をノズル部からはずした時、前記電動送風機の入力を上昇させる請求項１記載の縦型電気掃除機。
【請求項３】
吸引通路をノズル部からはずした時、前記電動送風機の入力を低下させる請求項１記載の縦型電気掃除機。
【請求項４】
吸込口内に駆動モータにて駆動する回転ブラシと、電動送風機の入力を切り替える入力切り替え手段を備え、前記入力切り替え手段を電動送風機と駆動モータを各々供給電源に直列に接続して構成し、吸引通路を前記吸込口からはずした時、前記駆動モータと前記供給電源との接続のみを切るようにした請求項１〜３のいずれか１項に記載の縦型電気掃除機。
【請求項５】
吸引通路の一端に形成した接続部と、吸込口に連通しノズル部外郭に設けた挿入部を備え、前記接続部を前記挿入部に着脱自在とするとともに、前記接続部の着脱に連動して入力切り替え手段への接続を切り替えるスイッチ体を設けてなる請求項１〜４のいずれか１項に記載の縦型電気掃除機。
【請求項６】
供給電源として２次電池を使用してなる請求項１〜５のいずれか１項に記載の縦型電気掃除機。
【発明の詳細な説明】
【０００１】
【発明の属する技術分野】
本発明は、隙間や隅を掃除する為のアタッチメントを備えた縦型電気掃除機に関するものである。
【０００２】
【従来の技術】
従来、この種の電気掃除機は図６および図７に示すように構成していた。以下、その構成について説明する。
【０００３】
図６において、１は吸引風を発する電動送風機２及び吸引した塵埃を捕集する集塵室３を内蔵した本体であり、４は回転ブラシ５と駆動モータ６を内蔵し、吸込口７及び走行ローラ８を備えたノズル部である。ノズル部４の後ろ側面には吸込口７に連通させた挿入部９が形成してある。１０は吸込口７から集塵室３へ塵埃を導く吸引通路であり、一端をＬ字に屈曲させた接続部１１に他端を管状部１２に固定した伸縮可能な蛇腹ホース１３から構成している。接続部１１は本体１の集塵室３の側壁に軸中心に回転可能に取り付け、管伏部１２は挿入部９に着脱自在に圧入嵌合させて取り付けてある。
【０００４】
本体１の上方には金属パイプからなる延長管体１４を介してハンドル部１５が取り付けられており、ハンドル部１５には供給電源１６と電動送風機２と駆動モータ６との電気接続を入り切りする電源スイッチ１７を配してある。又本体１は走行コーラ８の略中心上でノズル部４に対して回動可能に構成してある。
【０００５】
上記の構成において作用を説明すると、電源スイッチ１６を人りにすると電動送風機２及び駆動モータ６が回転するので床面の吸塵をハンドル部１４の操作によって行えるものである。そして隙間や隅を掃除するには、管伏部１２を挿入部９からはずして図示しないスキマノズル等のアタッチメントを装着して掃除するようになっていた。
【０００６】
【発明が解決しようとする課題】
このような従来の構成では、本体を小型化、省エネ型にしようとして電動送風機２の入力を低下させると吸引力が低下し、床面の掃除性能は回転ブラシ５の掻き上げ力を活用することで十分であるにもかかわらず、隙間や隅を掃除する時は吸引力のみに頼らざるを得ないため吸塵力が不十分になっていた。特に近年増加している２次電池を電源とするコードレス式のもので、その影響が大きかった。
【０００７】
また、カーテン等を掃除するときには、吸込力が強すぎてカーテンが巻き付いてしまう等の課題もあった。
【０００８】
本発明は上記従来の課題を解決するもので、アタッチメント使用時の掃除性能を改善し、使用性を高めた縦型電気掃除機を提供することを目的としている。
【０００９】
【課題を解決するための手段】
上記目的を達成するために本発明は、吸引風を発する電動送風機と塵埃を吸引する吸込口を有するノズル部と吸引した塵埃を捕集する集塵室と、前記ノズル部に着脱自在で前記吸込口と前記集塵室を連通する吸引通路を備え、前記吸引通路を前記吸込口からはずした時、前記電動送風機の入力を可変するもので、前記ノズル部から吸引通路をはずしてアタッチメントを装着して掃除するとき、吸引力を使用条件にあわせて最適にできるものである。
【００１０】
【発明の実施の形態】
本発明の請求項１に記載の発明は、吸引風を発する電動送風機と塵埃を吸引する吸込口を有するノズル部と吸引した塵埃を捕集する集塵室と、前記ノズル部に着脱自在で前記吸込口と前記集塵室を連通する吸引通路を備え、前記吸引通路を前記吸込口からはずした時、前記電動送風機の入力を可変するもので、前記ノズル部から吸引通路をはずしてアタッチメントを装着して掃除するとき、吸引力を使用条件にあわせて最適にできるものである。
【００１１】
本発明の請求項２に記載の発明は、吸引通路をノズル部からはずした時、前記電動送風機の入力を上昇させるもので、アタッチメントを使用するときの電動送風機の入力を床面掃除の時の入力より高くして、隙間等の掃除でも十分な掃除性能を得られるようにするものである。
【００１２】
本発明の請求項３に記載の発明は、吸引通路をノズル部からはずした時、前記電動送風機の入力を低下させるもので、アタッチメントを使用するときの電動送風機の入力を床面掃除の時の入力より低くして、カーテン等を掃除するときには、吸込力が強すぎてカーテンが巻き付いてしまうのを防止できる。
【００１３】
本発明の請求項４に記載の発明は、吸込口内に駆動モータにて駆動する回転ブラシと、電動送風機の入力を切り替える入力切り替え手段を備え、前記入力切り替え手段を電動送風機と駆動モータを各々供給電源に直列に接続して構成し、吸引通路を前記吸込口からはずした時、前記駆動モータと前記供給電源との接続のみを切るようにしたもので、電動送風機の入力切り替えと隙間掃除時の駆動モータの停止を同時に簡単な構成で行えるものであり、省エネと安全性の確保を低コストで実現できるものである。
【００１４】
本発明の請求項５に記載の発明は、吸引通路の一端に形成した接続部と、吸込口に連通しノズル部外郭に設けた挿入部を備え、前記接続部を前記挿入部に着脱自在とするとともに、前記接続部の着脱に連動して入力切り替え手段への接続を切り替えるスイッチ体を設けてなるもので、吸引通路の切り替えを接続部の着脱操作のみで実施できるとともに、同一操作で電動送風機の入力を切り替えることができるため、使い勝手が良いものである。
【００１５】
本発明の請求項６に記載の発明は、供給電源として２次電池を使用してなるもので、省エネ構成を実現することにより、電池への負荷を軽減できるので本体の小型、軽量化ができて使い勝手のよいコードレス掃除機を実現できる。
【００１６】
【実施例】
以下、本発明の実施例について、図面を参照しながら説明する。
【００１７】
（実施例１）
本発明の第１の実施例を図１〜３を用いて説明する。尚、上記従来例と同一部分については、同一符号を付してその説明を省略する。
【００１８】
掃除機本体１は、吸引力を発生する電動送風機２及び集塵室３を備え、前記掃除機本体１の下方にノズル部４は回転ブラシ５を内蔵し、下部前方に吸込口７設けるとともに後ろ側面に吸込口７に連通させた挿入部９が形成してある。挿入部９には吸引通路１０の管伏部１２を着脱自在に嵌合させてある。そして管状部１２の先端には、ノズル部４に形成した孔部１８を通して、挿入部９の上方に配置したスイッチ体１９に当接する突起部２０が一体で形成してある。図３に示すように、電動送風機２と駆動モータ６は、供給電源１６に電源スイッチ１７を介して各々並列に接続されており、電動送風機２のみ抵抗体Ｒからなる入力切り替え手段２１に前記スイッチ体１９によって電気接続を切り替えできるようになっている。
【００１９】
上記構成において動作を説明する。床面の掃除を行うときは電源スイッチ１７を入りにすると、供給電源１６に電動送風機２と駆動モータ６が各々電気的に接続され、吸込口７から吸引力と回転ブラシ５の掻き上げ力で吸塵し、吸引通路１０を通して集塵室３に集塵する。
【００２０】
この時電動送風機２は、図３の実線で示すスイッチ体１９の接点構成で入力切り替え手段２１を介して供給電源１６に電気接続されている。すなわち供給電源１６の電圧は抵抗体Ｒによって降下されて電動送風機２にかかるため、電動送風機２の入力は直接供給電源１６に接続される場合に比較して低下している。本実施例の場合は、１００Ｖで１００Ｗの定格入力の電動送風機２を１０Ωの抵抗体Ｒを介して電気接続しており、約８１．８Ｗの低入力で運転させている。この低入力でも回転ブラシ５の掻き上げ力があるため吸塵性能としては十分確保できるものである。
【００２１】
そして可とう性のホースからなる吸引通路１０は、管状部１２を挿入部９に対して圧入嵌合させて着脱自在にしてあるので、管状部１２を挿入部９からはずして、別の図示しないスキマノズルなどのアタッチメントを装着して、隅や隙間などを掃除できるものである。この時管状部１２の突起部２０がノズル部４のスイッチ体１９から離れ、接点が図３に波線で示す位置に切り替わり電動送風機２は入力切り替え手段２１を介さず供給電源１６に直接電気接続され、１００Ｖ電圧が印加される。すなわち電動送風機２の入力は１００Ｗとなり高い吸引力を発生させるようになる。これにより回転ブラシ５の掻き上げ力なしで吸引力のみでも十分な吸塵力が得られる様になり、隙間や隅の掃除も十分にできるものである。
【００２２】
又アタッチメント着脱の操作のみで同時に上記入力の切り替えが行えるので使い勝手が良いものである。
【００２３】
そして圧倒的に時間の長い床面掃除における消費電力を必要最小限に低減し、省エネルギーを達成できるものである。
【００２４】
尚、上記実施例では供給電源１６を一般家庭の電源である交流１００Ｖとしたが、図３に一点鎮線で示すように２次電池からなるＤＣ電源２２を本体１に内蔵させて構成しても良く、この場合特に上記実施例による省エネルギー効果が、本体の小型・軽量化につながるのでコードレス掃除機の使用性向上に一層効果をもたらすものである。また、本実施例では、管状部１２を挿入部９からはずしたとき、電動送風機２の入力を上昇させる構成としているが、逆に低下させるようにしても、カーテン等を掃除するときには、吸込力が強すぎてカーテンが巻き付いてしまうのを防止できる。
【００２５】
（実施例２）
本発明の第２の実施例を図４を用いて説明する。尚、上記実施例と同一部分については、同一符号を付してその説明を省略する。
【００２６】
電動送風機２と駆動モータ６は供給電源１６に各々直列に電気接続されており、駆動モータ６のみはスイッチ体２３を介して供給電源１６に入り切り接続されるようになっている。スイッチ体２３は上記実施例と同様に管状部１２の突起部２０によって、管状部１２を挿入部９に着脱するのと連動して接点の切り替えが行われる構成になっている。他の構成は上記実施例１と同じである。
【００２７】
上記構成において動作を説明する。床面掃除の時はスイッチ体２３の接点は図４に実線で示す位置にあり、電動送風機２と駆動モータ６は各々供給電源１６に直列に接続され、十分な吸塵力を得られる最小限の入力を各々設定されている。すなわち本実施例では、電動送風機２が８０Ｗ、駆動モータ６が２０Ｗに設定してある。アタッチメント掃除をするため、管状部１２を挿入部９からはずすのに伴い、スイッチ体２３の接点は同図に波線で示す位置に切り替わる。この時駆動モータ６は供給電源１６から切り離されて停止し、電動送風機２は１２５Ｗの高い入力で運転されるので、高い吸引力によって回転ブラシ５の掻き上げ力無しでも十分な吸塵力が得られものである。
【００２８】
又、アタッチメント使用中は不要な回転ブラシ５を停止できるので安全性を向上させることができるものである。
【００２９】
（実施例３）
本発明の第３の実施例を図５を用いて説明する。尚、上記実施例と同一部分については、同一符号を付してその説明を省略する。
【００３０】
電動送風機２と駆動モータ６は供給電源１６に各々並列に電気接続されており、駆動モータ６のみスイッチ体２３を介して供給電源１６に入り切り接続されるようになっている。スイッチ体２３は上記実施例と同様に管状部１２の突起部２０によって、管状部１２を挿入部９に着脱するのと連動して接点の切り替えが行われる構成になっている。他の構成は上記実施例１と同じである。
【００３１】
上記構成において動作を説明する。床面掃除の時はスイッチ体２３の接点は図４に実線で示す位置にあり、電動送風機２と駆動モータ６は各々供給電源１６に並列に接続され、十分な吸塵力を得られる最小限の入力を各々設定されている。すなわち本実施例では、電動送風機２が８０Ｗ、駆動モータ６が２０Ｗに設定してある。アタッチメント掃除をするため、管伏部１２を挿入部９からはずすのに伴い、スイッチ体２３の接点は同図に波線で示す位置に切り替わる。この時駆動モータ６は供給電源１６から切り離されて停止し、電動送風機２は８０Ｗの入力のままで運転される。
【００３２】
すなわちアタッチメントを着脱する操作のみで、不要な回転ブラシ５を停止できるので簡単に確実に安全性を向上させることができるものである。
【００３３】
【発明の効果】
以上のように本発明によれば、アタッチメント使用時の掃除性能を改善し、使用性を高めた縦型電気掃除機を提供できる。
【図面の簡単な説明】
【図１】本発明の第１の実施例を示す電気掃除機の縦断面図
【図２】同電気掃除機の斜視図
【図３】同電気掃除機の電気回路図
【図４】本発明の第２の実施例を示す電気掃除機の電気回路図
【図５】本発明の第３の実施例を示す電気掃除機の電気回路図
【図６】従来の電気掃除機を示す斜視図
【図７】同電気掃除機の電気回路図
【符号の説明】
１　本体
２　電動送風機
３　集塵室
４　ノズル部
５　回転ブラシ
６　駆動モータ
７　吸込口
１０　吸引通路
２１　入力切り替え手段
【図１】
2004089246.tif 000003
【図２】
2004089246.tif 000004
【図３】
2004089246.tif 000005
【図４】
2004089246.tif 000006
【図５】
2004089246.tif 000007
【図６】
2004089246.tif 000008
【図７】
2004089246.tif 000009